(57)【要約】【課題】曲面に馴染みやすくて、貼着後に浮き上がったり、周縁に一部が開いたり、剥がれるのを防ぎ、しかも破れ難い球面体用ラベルを提供すること。【解決手段】裏面が接着面である伸縮性シート１に、複数の孔２を伸縮性シート１の周縁１ａから間隔をあけて、且つ、周方向に沿って設けると共に、周縁１ａを連続して形成してある。複数の孔２を互いに近接して、且つ、周方向に沿って配置して成る孔群３を、伸縮性シート１の周方向に沿って適宜間隔ごとに形成しても良い。長軸が周方向に沿う長孔より成る孔２を、伸縮性シート１の周方向に沿って適宜間隔ごとに形成しても良い。【選択図】図１
2011048154.tif 000002
【特許請求の範囲】
【請求項１】
裏面が接着面である伸縮性シートに、複数の孔を前記伸縮性シートの周縁から間隔をあけて、且つ、該伸縮性シートの周方向に沿って設けると共に、前記周縁を連続して形成してあることを特徴とした球面体用ラベル。
【請求項２】
複数の前記孔を互いに近接して、且つ、前記伸縮性シートの周方向に沿って配置して成る孔群を、前記伸縮性シートの周方向に沿って適宜間隔ごとに形成した請求項１に記載の球面体用ラベル。
【請求項３】
長軸が前記伸縮性シートの周方向に沿う長孔より成る孔を、前記伸縮性シートの周方向に沿って適宜間隔ごとに配置した請求項１に記載の球面体用ラベル。
【発明の詳細な説明】
【技術分野】
【０００１】
本発明は、果実のような球面体に貼り付けるのに適した球面体用ラベルに関する。
【背景技術】
【０００２】
一般的に、果実表面等の球面に貼着するラベルは、紙等のシートを適宜形状及び大きさに切断したラベルシートの裏面に接着剤層を形成すると共に、表面に文字や絵柄を表示して成る。
しかし、ラベルシートは、平面的なシートから形成されているので、球面に馴染み難く、特に、厚手の紙等を素材とするものは変形し難いので、球面から浮き上がって剥がれやすい。
【０００３】
そこで、従来、ラベル基材の外周縁から内側に向けて複数の切込部を形成したラベルが提案されている（特許文献１参照）。
上記従来のラベルは、貼り付ける際に、切込部の両側のラベル基材を重ね合わせることにより、球面等の平面でない貼着面に馴染ませることができる。
しかし、このラベルは、貼着後に重合部が厚くなると共に、ラベル基材の周縁が切込部から開きやすく、切込部の端部両側に形成された角部が剥がれたり、切込部から破れる心配もあった。
【先行技術文献】
【特許文献】
【０００４】
【特許文献１】登録実用新案第３０５３６３９号公報
【発明の概要】
【発明が解決しようとする課題】
【０００５】
本発明が解決しようとする課題は、球面に馴染みやすくて、貼着後に浮き上がったり、周縁の一部が開いたり、剥がれるのを防ぐことができる球面体用ラベルを提供することにある。
【課題を解決するための手段】
【０００６】
本発明の球面体用ラベルは、裏面が接着面である伸縮性シートに、複数の孔を前記伸縮性シートの周縁から間隔をあけて、且つ、該伸縮性シートの周方向に沿って設けると共に、前記周縁を連続して形成して成る。
複数の前記孔を互いに近接して、且つ、前記伸縮性シートの周方向に沿って配置して成る孔群を、前記伸縮性シートの周方向に沿って適宜間隔ごとに形成しても良い。
或いは、長軸が前記伸縮性シートの周方向に沿う長孔より成る孔を、前記伸縮性シートの周方向に沿って適宜間隔ごとに配設しても良い。
【発明の効果】
【０００７】
本発明によれば、孔を形成したことにより、伸縮性シートに変形しやすい弱い部分ができるので、ラベルを球面に貼って押し付けると、伸縮性シートが孔の形成された部分で変形して球面になじみ、球面から浮き上がって剥がれるのを防止できる。
また、孔を伸縮性シートの周縁から間隔をあけて形成し、伸縮性シートの周縁は連続しているので、伸縮性シートの周縁の一部が開いたり、周縁に形成された角部から剥がれたり破れる心配がない。
【図面の簡単な説明】
【０００８】
【図１】本発明の実施例１を示す球面体用ラベルの平面図である。
【図２】本発明の実施例１に係る球面体用ラベルの使用状態を示す斜視図である。
【図３】本発明の実施例２を示す球面体用ラベルの平面図である。
【図４】本発明の実施例３を示す球面体用ラベルの平面図である。
【図５】本発明の実施例４を示す球面体用ラベルの平面図である。
【発明を実施するための形態】
【０００９】
図１及び図２は、本発明の実施例１を示す。
本発明の球面体用ラベルは、図１に示すように、円形で周縁１ａが切れ目なく連続した伸縮性シート１に、複数の孔２を伸縮性シート１の周縁１ａから間隔をあけて形成して成る。
伸縮性シート１は、ウレタンを含むプラスチック等の伸縮性素材より成り、裏面が接着面、表面が表示面となっている。
孔２は、円形の小孔であり、複数の（図に示す例では５個の）孔２を互いに近接して、伸縮性シート１の周方向に沿って配置して成る孔群３を、周方向に沿って適宜間隔ごとに複数組（図に示す例では４組）形成してある。
なお、文字・絵柄等は、表示面の孔２で囲まれた内側に表示するのが望ましい。
【００１０】
図２に示すように、このラベルを果実のような球面体４の表面に貼って押し付けると、伸縮性シート１の孔２を形成した部分が変形し、伸縮性シート１が球面に馴染んで密着する。
また、孔２を伸縮性シート１の周縁１ａから間隔をあけて形成してあり、伸縮性シート１の周縁１ａは連続しているので、切込部を形成したもののように伸縮性シート１の周縁１ａが開いてしまうことがない。
【００１１】
図３は、本発明の実施例２を示す。
本実施例では、伸縮性シート１が楕円形に形成されている。
また、伸縮性シート１の長軸に沿う孔群３は、５個の孔２を並べて形成されるが、短軸に沿う孔群３は３個の孔２を並べて形成される。
その他の構造及び使用方法は実施例１と変わるところはない。
なお、実施例１及び２において、孔群３を形成する孔２の数は、伸縮性シート１及び孔２の大きさによって適宜変更できる。
【００１２】
図４は、本発明の実施例３を示す。
本実施例において、伸縮性シート１は円形であり、孔２は、長軸が伸縮性シート１の周方向に沿う長孔より成る。
そして、複数の（図に示す例では４個の）孔２を伸縮性シート１の周縁１ａから間隔をあけて、且つ、伸縮性シート１の周方向に沿って適宜間隔ごとに配設してある。
この球面体用ラベルを球面体の表面に貼り付けると、伸縮性シート１の孔２を形成した部分が変形し、球面に馴染む。
その他の構成は、実施例１と同様である。
【００１３】
図５は、本発明の実施例４を示す。
伸縮性シート１は楕円形であり、複数の（図に示す例では４個の）長孔より成る孔２が伸縮性シート１の周縁１ａから間隔をあけて、且つ、伸縮性シート１の周方向に沿って適宜間隔ごとに配設してある。
伸縮性シート１の長軸に沿う孔２は長く、短軸に沿う孔２はこれより短く形成されている。
その他の構造は実施例３と同じである。
なお、本発明において、伸縮性シートの形状は、円形及び楕円形に限定されるものではない。
【符号の説明】
【００１４】
１  伸縮性シート
１ａ  周縁
２  孔
３  孔群
４  球面体
【図１】
2011048154.tif 000003
【図２】
2011048154.tif 000004
【図３】
2011048154.tif 000005
【図４】
2011048154.tif 000006
【図５】
2011048154.tif 000007